(57)【要約】【課題】既設品についても、一切の改造を加えることなく、呼出操作を無線化できるだけでなく、患者の容態や、看護状況の変化にあわせて、より使いやすい種類の呼出機器に取り替えたり、あるいは、必要に応じて複数の呼出機器を同時に接続できるようにする。【解決手段】既設のナースコール子機本体１と有線子機３、３ａとの間に介在して接続できる無線アダプタ２と１つ以上の無線呼出機器４ａ、４ｂ、４ｃ、４ｄ、４ｅとで構成し、有線子機３、３ａは、無線アダプタ２を接続する前と同様に、そのまま有線子機として使用できるとともに、複数の無線呼出機器４ａ、４ｂ、４ｃ、４ｄ、４ｅの呼出操作により、無線アダプタ２を介して、ナースコール子機本体１に呼出信号を順次送出できるようにする。【選択図】図１
2005318072.tif 000002
【特許請求の範囲】
【請求項１】
ナースコール子機本体のコンセントとこれに接続される有線子機との間に介挿接続されてマスター局となる無線アダプタと、この無線アダプタのスレーブ局となる複数の無線呼出機器とからなり、前記無線アダプタは、前記子機本体と前記有線子機とを回路機能的に直結するナースコールラインと、前記無線呼出機器の個有のスレーブＩＤをもとに、複数の無線呼出機器に対して順次送信コマンドを送信し、個別に返信された呼出データを出力データに変換する無線ユニットとを含み、前記無線ユニットは、ナースコールラインから電源の供給を受けるとともに、呼び出し信号をナースコールラインに出力できるようにしたことを特徴とする無線アダプタシステム
【発明の詳細な説明】
【技術分野】
【０００１】
本発明は、病室側に設置されるナースコール子機の呼出機能部分のみを無線化できる無線アダプタに関する。
【背景技術】
【０００２】
病室に設置されるナースコール子機は、通常、呼出機能と通話機能を有する。その中でも、呼出機能は重要であり、全ての患者すなわち患者の容態、看護の状況に応じて、容易に呼出操作ができるように、多種多様な機能、形態のものが考えられている。たとえば、ひじ、あし、頭などで押せる機能障害者用押ボタン、身体の一部を触れることによって呼び出せるタッチコール、かすかな息やかすかな声で呼び出せるブレスコールなどが用意されている。
【０００３】
しかしながら、通常は、患者が指で押せる直付けの呼出ボタンやコードのついた握りボタンを使って看護師などを呼び出すことを前提に固定したシステムが構成されており、これらの呼出ボタンや握りボタンが使えなくなると、施設課の用度担当者などが患者の容態、状態に合わせて、操作部分を改造したり、配線コードを引き回したりして都度対応しているというのが現状である。
【０００４】
繰り返すが、壁付けのナースコール子機本体は、通常、上記のような、特殊呼出機器に対応するコンセントをそなえていない。すなわち、一般には、握りボタン用やハンド子機用のコンセントが付設してあるだけなので、なんらかの改造作業が必要になることが多い。
【０００５】
また、握りボタンを別の特殊呼出機器に付け変えるだけであれば改造作業も比較的簡単にすむが、同時に、複数の特殊呼出機器を接続しなければならない場合もある。このように複数の特殊呼出機器を使うことになれば、穴あけ作業など大幅な現場加工が必要になり、重篤な患者のいる病室で、ベッドの移動やドリル作業にともなう騒音や振動を発生させてしまう。
【０００６】
また、従来、呼出機器の多くは、通信線ないし信号線として長尺のコードを使用しており、繰り返し、このコードが引張られたり、折り曲げられたりして、コードが断線する事故も多い。このような、断線事故対策として、従来から、コードが一定以上の力で引っ張られたら、コンセントが自動的に抜けるよう特殊な構造にしたり、あるいは、断線はある程度やむをえないものと考え、断線時には、警報を出して、断線状態を看護士等に知らせ、遅滞なく製品交換することにより、患者トラブルの発生を未然に防止するようにしている。
【特許文献１】特開２００２−１９１６４８号公報
【特許文献２】特開２００３−２５９０１６号公報
【発明の開示】
【発明が解決しようとする課題】
【０００７】
本発明は、既設品についても、一切の改造を加えることなく、呼出操作を無線化できるだけでなく、患者の容態や、看護状況の変化にあわせて、より使いやすい種類の呼出機器に取り替えたり、あるいは、必要に応じて複数の呼出機器を同時に接続できるナースコール子機用の無線アダプタを提供することを目的とするものである。
【課題を解決するための手段】
【０００８】
本発明は、ナースコール子機本体のコンセントとこれに接続される有線子機との間に介挿接続されてマスター局となる無線アダプタと、この無線アダプタのスレーブ局となる複数の無線呼出機器とからなり、前記無線アダプタは、前記子機本体と前記有線子機とを回路機能的に直結するナースコールラインと、前記無線呼出機器の個有のスレーブＩＤをもとに、複数の無線呼出機器に対して順次送信コマンドを送信し、個別に返信された呼出データを出力データに変換する無線ユニットとを含み、前記無線ユニットは、ナースコールラインから電源の供給を受けるとともに、呼び出し信号をナースコールラインに出力できるようにした。
【発明の効果】
【０００９】
本発明は、既設品についても、一切の改造を加えることなく、呼出操作を無線化できるだけでなく、患者の容態や、看護状況の変化にあわせて、より使いやすい種類の呼出機器に取り替えたり、あるいは、必要に応じて複数の呼出機器を同時に接続できるナースコール子機用の無線アダプタを提供することができる。
【００１０】
ナースコールシステム全体を無線化すると、設置費用が増大するが、本発明は、患者の状態と看護の必要度に応じて、特定のベッドサイドで実施すればよく、電波は、その限定されたベッドエリアだけをカバーできる微弱な電波で対応できるので、医療機器に電波障害を与えるようなことは少なく、最低限のコスト増で実施することができる。
【発明を実施するための最良の形態】
【００１１】
既設品についても、一切の改造を加えることなく、呼出操作を無線化するという目的を最低限のコスト増で実施できた。
【実施例１】
【００１２】
図１は、本発明の１実施例を示す全体構成図である。
図中、１は、病室の壁面に埋め込んで設置される既設のナースコール子機本体であり、これに、無線アダプタ２を介して、適宜長のコードの付いた、ハンド形の有線子機３が接続されている。無線アダプタ２は、無線呼出機器すなわち、手におさまる形状の無線握りボタン４ａや、安定板にのった大型無線ボタン４ｂ、足先で押せる無線フットボタン４ｃ、点滴装置に連動する点滴アダプタ４ｄ、息吹で操作できる無線式ブレスコール４ｅなどと無線通信で呼出信号のやりとりができるようになっている。
【００１３】
すなわち、無線アダプタ２はマスターであり、無線呼出機器４ａ、４ｂ、４ｃ、４ｄ、４ｅなどをスレーブとするピコネットを形成し、時分割で、同時に使用することができるようになっている。なお、無線呼出機器４ａ、４ｂ、４ｃ、４ｄ、４ｅは、それぞれ単独で使用することも可能である。
【実施例２】
【００１４】
図２は、ハンド形有線子機３用の無線アダプタ２を示したものであり、ナースコール子機本体１のコンセント５に、無線アダプタ２の入側プラグ６を接続するとともに、出側のコンセント７は、ハンド形有線子機３のプラグ８を接続してある。
【００１５】
ハンド形有線子機３は、呼出ボタン９、呼出確認灯１０、通話用マイク１１、スピーカ１２を有する一般的な構成のものである。無線アダプタ２は、登録ボタン１３、複数のチャンネル表示灯１４を有している。４ａは、無線アダプタ２と無線で交信できる無線握りボタンであり、呼出ボタン１６、登録スイッチ１７、呼出・登録表示灯１８、携帯ストラップ１９を具備している。
【実施例３】
【００１６】
図3は、握りボタン形有線子機３ａを無線アダプタ２ａを介して、ナースコール子機本体１ａに接続した状態を示したものであり、ナースコール子機本体１ａ側のコンセント５ａに無線アダプタ２ａの入側プラグ６ａを接続するとともに、出側のコンセント７ａに握りボタン形有線子機３ａのプラグ８ａを接続してある。９ａは呼出ボタンである。この握りボタン形有線子機３ａ用の無線アダプタ２ａは、前述したハンド形有線子機用の無線アダプタ２と同様、登録ボタン１３ａ、複数のチャンネル表示灯１４aを有している。
【実施例４】
【００１７】
図４は無線アダプタ２のブロック図であり、内部には、無線ユニット２０を有し、その入力部２１は、ナースコールラインＬ３、Ｌ４に接続され、両ラインから電源の供給を受ける。無線ユニット２０の出力部２２は、ナースコールラインＬ３、Ｌ４に接続され、後述する用に呼出信号を出力する。
【００１８】
４本のナースコールラインのうち、Ｌ１は、送話線、Ｌ２は受話線であり、前出したＬ３は呼出線、Ｌ４は共通線として機能しており、既設のナースコール子機本体のコンセント５と既設ハンド形有線子機のプラグ８の信号ラインは、無線アダプタ２内のナースコールラインＬ１、Ｌ２、Ｌ３、Ｌ４を介して直結してある。
【００１９】
なお、無線アダプタ２０内のナースコールラインＬ１、Ｌ２、Ｌ３、Ｌ４には、回り込み防止回路１５などを適宜挿入することができるが、その際、既設のハンド形の有線子機３の動作条件に可及的影響を与えず、直流電流および交流信号の実質的な直結条件が保持されるようにする。
【００２０】
また、無線ユニット２０の入力部２１は、直流電流を分配できるナースコールラインであればよく、ナースコールラインＬ２、Ｌ４に接続したほうが回路構成が簡単になる場合もある。
【実施例５】
【００２１】
図5（ａ）は、無線アダプタ２内の無線ユニット２０のブロック構成図である。同図で２３は、通信制御部であり、アンテナ２４を介して無線電波を送受信するＲＦ通信部２５、記憶部２６、表示部２７、前述した登録ボタン１３を含む操作部２８、電源部２９を介して接続される入力部２１、オンオフのアナログ信号を出力する出力部２２が接続されている。
【００２２】
通信制御部２３は、ＣＰＵ等から構成され、記憶部２６に記憶されている所定のプロトコルに基づいて、全体動作を制御する。記憶部２６は、ＲＯＭとＲＡＭを有し、ＲＯＭには、無線接続制御やデータの送受信などの動作プログラムのほかに、マスターとして作動する当該アダプタのマスターＩＤなどが記録されている。他方、ＲＡＭは、通信制御部２３の制御動作で一次的に使用される各種データを記憶するワークエリアや、新規に登録される無線呼出機器の子機ＩＤエリアなどを具備する。
【００２３】
図５（ｂ）は、無線握り呼出ボタン４ａのブロック構成図で、図５（ａ）と略同一の構成であり、通信制御部３０、ＲＦ通信部３１、記憶部３２、前記呼出・登録表示灯１８を有する表示部３３、前記登録スイッチ１７を含む操作部３４で構成されている。なお、無線アダプタ２が有しているアナログインターフエースとしての入力部２２、出力部２１は具備していない。また、電源部３５は、乾電池や充電式電池で構成されており、無線アダプタ２の電源部２９が入力部２２を介して、外部のナースコールラインＬ３、Ｌ４から電源が供給されるのとは異なる。なお、無線アダプタ２の電源部２９は、通常は、入力部２１から供給される電源を適正な電圧に昇降する電圧安定化回路および充電池の充電回路などで構成される。
【００２４】
患者のベッドサイドの頭側に設置される、無線アダプタ２は、当該ベッドないし当該患者に占有のものであり、当該患者が使用する無線握りボタン４ａは、当該無線アダプタ２に限定して、1対１で通信できるものでなければならない。当該患者が無線握りボタン４ａを操作した時、隣のベッドサイドにある無線アダプタ２と通信が成立してしまうと、患者を取り違えてしまうことになる。そのため、無線握りボタン４ａを新規に使用開始するときは、目的の無線アダプタ２と１対１で通信できるように、無線アダプタ２および無線握りボタン４ａの識別ＩＤの登録を実施する必要がある。
【００２５】
そこで、図５により登録作業を説明する。まず、図５（ｂ）無線握りボタン２のブロック構成図において、操作部３４の登録スイッチ１７を押すと、電源が投入され、通信制御部３０は、記憶部３２から登録用の制御プログラムを読み出し、ＲＦ通信部３１を受信状態に制御し、無線アダプタ２からの送信電波を受信可能な状態になる。
【００２６】
他方、図５（ａ）の無線アダプタ２はナースコール子機本体１に接続されるとただちに電源が供給されて送信可能な状態にある。操作部２８を構成する登録ボタン１３を押すと、ＣＰＵを含む通信制御部２３は、登録入力を受け付け、記憶部２６から登録制御プログラムを読込んで実行を開始する。記憶部２６には、制御プログラムとは別に、当該無線アダプタのマスターＩＤが記録されており、通信制御部２３は、マスターＩＤを含んだ登録開始要求信号のデータフレームを作成し、ＲＦ通信部２５へ送り、周波数変調された信号はアンテナ２４から送信される。
【００２７】
この送信電波は、無線握りボタン４ａのアンテナ３６で受信され、ＲＦ通信部３１で復調後、通信制御部３０に渡される。通信制御部３０は、受信信号から登録開始信号であることを判読すると、返信のデータフレームに自己のＩＤをスレーブＩＤとして、これにマスターＩＤを付加して返信電波として送信する。
【００２８】
無線アダプタ２の無線ユニット２０では、この返信信号を受信すると、マスターＩＤの一致を確認のうえ、返信された当該無線握りボタン４ａのスレーブＩＤを送信相手先として登録する。登録が完了したら、登録完了信号のデータフレームを作成し、自己のマスターＩＤに登録したスレーブＩＤを付加した信号を登録完了信号として送信する。
【００２９】
無線握りボタン４ａは、この登録完了信号の受信をまって、送信されたマスターＩＤを送信相手先として記録するとともに、登録完了返信信号を送信する。送信が完了したら、通信制御部３０の制御により、低消費電力モードに移行し、送信、受信とも停止し、半休止状態に設定される。
【００３０】
無線アダプタ２の無線ユニット２０では、無線握りボタン４ａからの登録完了返信信号を受信すると、表示部２７において、所定の表示灯１４を点灯させ、識別ＩＤの登録工程が完了する。なお、複数の表示灯１４は、呼出子機のスレーブＩＤや種別に対応させることができる。
【００３１】
追加して、無線握りボタン４ａや他の無線呼出機器４ｂ、４ｃ、４ｄ、４ｅを登録するときは、前述した方法で登録作業を繰り返せばよい。無線アダプタ２には、登録した全ての呼出機器のスレーブＩＤが送信の相手先として登録される。
【００３２】
次に識別ＩＤの登録完了後の呼出監視動作について説明する。
無線アダプタ２は、登録された各無線呼出子機４ａ、４ｂ、４ｃ、４ｄ、４ｅのスレーブＩＤをもとに、順次、呼出探索用のデータ送信要求コマンドを送信し、無線呼出機器４ａ、４ｂ、４ｃ、４ｄ、４ｅからの返信を待つ。データ送信要求コマンドは、マスターＩＤとスレーブＩＤを含む。
【００３３】
しかし、各無線呼出機器は通常は、前述したように、通常は、いずれも低消費電流モードで休止しているので、無線アダプタ２は、いずれの呼出機器からも返信信号を受けとることはない。
返信がなければ、無線アダプタ２は、呼出なしとして処理し、継続して、呼出探索用のデータ送信要求コマンドの送信、受信を順次繰り返す。一巡したら、所定の間隔をおいて、反復、いわゆるスキャン動作を行う。
【００３４】
このような呼出探索モードにおいて、いずれかの呼出機器４ａ、４ｂ、４ｃ、４ｄ、４ｅの操作部３４に呼出入力がされれば、通信制御部３０の制御で、低消費電流モードから受信モードに移行し、データ送信要求コマンドを受信する。受信した呼出機器４ａ、４ｂ、４ｃ、４ｄ、４ｅは、データ送信要求コマンドに含まれるスレーブＩＤと、記憶部３２に記憶している自己のそれとの照合を行う。
一致すれば、呼出ボタンを押したかどうかを示す呼出データを、マスターＩＤ、スレーブＩＤを付加して返信する。
【００３５】
無線アダプタ２は、呼出子機４ａ、４ｂ、４ｃ、４ｄ、４ｅからの返信データでマスターＩＤの一致を確認したら、スレーブＩＤと呼出データを受信し、呼出データが呼出有りのときは、アナログデータに変換して出力部２２に出力する。同時にスレーブＩＤに対応する信号を表示部に送り、複数の表示灯１４のうちの適宜の１つを点滅させ、呼出中であることを表示する。
【００３６】
出力部２２の出力で、ナースコールラインＬ３は呼出状態に保持され、既設のナースコールは、当該患者から呼出を認識し、看護師などに患者からの呼出を報知することができる。出力部２２は、本実施例では、呼出信号を出力するとともに、呼出ラインＬ３の待機状態、呼出状態、応答通話状態で変化する出力電流を監視しており、呼出状態は、呼出ラインＬ３が応答通話状態になるまで継続する。応答通話状態が検知されると呼出状態は復旧され、呼出探索モード動作を継続する。
【００３７】
以上のべたように本発明の実施例では、無線呼出機器４ａ、４ｂ、４ｃ、４ｄ、４ｅは識別ＩＤの登録が完了すると、送受信とも行わない低消費電流モードに移行し、呼出ボタンを押して呼出モードに移行するまでは、低消費電力モードを維持する構成であり、消費電流が大きくなるのは、呼出ボタンを押し、これを無線アダプタで検知するまでの短い時間ですむので、消費電力は極めて少なく、長い電池寿命を期待できる。
【００３８】
また本発明の実施例では、無線アダプタ２をマスターとして、スレーブとなる無線呼出子機を順次スキャンして、問い合わせを行い、無線呼出子機の呼出データを取得する方法を説明したが、無線通信方式としては、ノートパソコンやワイヤレスマウスなど、モバイル機器向けとして、一般的になりつつあるブルーツース「Ｂｌｕｅｔｏｏｔｈ」規格の無線通信方式を使用することができる。
【００３９】
ブルーツース無線は、免許なしで自由に使うことのできる2.45GHz帯（産業科学医療用バンド）の電波を使うため、医療機器を誤動作させる心配がなく、また、伝播距離１０ｍ、小型・低消費電力、が特徴の近距離無線通信である。
このブルーツースを用いれば、無線アダプタ２や複数の無線呼出機器４ａ、４ｂ、４ｃ、４ｄ、４ｅによるピコネット（piconet）無線網を簡単に構成することができ、必要に応じて、音声通信機能を付加することができる。
【産業上の利用可能性】
【００４０】
有線式のナースコールシステムの他、呼出機器一般に適用できる
【図面の簡単な説明】
【００４１】
【図１】本発明の全体構成を示す説明図である（実施例１）。
【図２】本発明をハンド型子機に適用した説明図である（実施例２）。
【図３】本発明を握りボタンに適用した説明図である（実施例３）。
【図４】本発明の無線アダプタの回路ブロック図（実施例４）
【図５】本発明の無線アダプタの無線ユニットと無線呼出ボタンのブロック構成図である（実施例５）。
【符号の説明】
【００４２】
１    ナースコール子機本体
２    無線アダプタ
３    有線子機
４ａ  無線握りボタン
【図１】
2005318072.tif 000003
【図２】
2005318072.tif 000004
【図３】
2005318072.tif 000005
【図４】
2005318072.tif 000006
【図５】
2005318072.tif 000007